(57)【特許請求の範囲】
【請求項１】
第１地域において提供される放送番組に関する第１番組案内情報、及び、前記第１地域とは異なる第２地域において提供される放送番組に関する第２番組案内情報を取得する取得手段と；
前記第１番組案内情報と前記第２番組案内情報とを比較する比較手段と；
前記比較手段による比較結果から抽出された前記第１番組案内情報と前記第２番組案内情報と同一点及び相違点に基づいて、前記第２地域で利用される番組案内表を作成する作成手段と；を備え、
前記比較手段は、
前記第２番組案内情報に含まれる放送番組のそれぞれについて、同一の番組名の放送番組が前記第１番組案内情報に存在するかを判定する第１判定と；
前記第１判定の結果が肯定的であった放送番組のそれぞれについて、前記第１番組案内情報におけるサブタイトルと、前記第２番組案内情報におけるサブタイトルとが同一であるかを判定する第２判定と；を行い、
前記作成手段は、
前記第１判定の結果が否定的であった放送番組が存在する場合には、前記第１判定の結果が否定的であった放送番組の提示態様と、前記第１判定の結果が肯定的であった放送番組の提示態様とが、第１態様差を有する番組案内表を作成し；
前記第２判定の結果が否定的であった放送番組が存在する場合には、前記第２判定の結果が否定的であった放送番組のサブタイトルの提示態様と、前記第２判定の結果が肯定的であった放送番組のサブタイトルの提示態様とが、第２態様差を有する番組案内表を作成する、
ことを特徴とする放送番組案内装置。
【請求項２】
前記比較手段は、前記第１判定の結果が肯定的であった放送番組のそれぞれについて、前記第１番組案内情報における詳細内容と、前記第２番組案内情報における詳細内容とが同一であるか否かを判定する第３判定を行い、
前記作成手段は、前記第３判定の結果が否定的であった放送番組が存在する場合には、前記第３判定の結果が否定的であった放送番組の詳細案内の提示態様と、前記第３判定の結果が肯定的であった放送番組の詳細案内の提示態様とが、第３態様差を有する番組案内表を作成する、
ことを特徴とする請求項１に記載の放送番組案内装置。
【請求項３】
第１地域において提供される放送番組に関する第１番組案内情報、及び、前記第１地域とは異なる第２地域において提供される放送番組に関する第２番組案内情報を取得する取得手段と；
前記第１番組案内情報と前記第２番組案内情報とを比較する比較手段と；
前記比較手段による比較結果から抽出された前記第１番組案内情報と前記第２番組案内情報と同一点及び相違点に基づいて、前記第２地域で利用される番組案内表を作成する作成手段と；を備え、
前記比較手段は、
前記第２番組案内情報に含まれる放送番組のそれぞれについて、同一の番組名の放送番組が前記第１番組案内情報に存在するかを判定する第１判定と；
前記第１判定の結果が肯定的であった放送番組のそれぞれについて、前記第１番組案内情報における放送時間帯と、前記第２番組案内情報における放送時間帯と同一であるかを判定する第２判定と；を行い、
前記作成手段は、
前記第１判定の結果が否定的であった放送番組が存在する場合には、前記第１判定の結果が否定的であった放送番組の提示態様と、前記第１判定の結果が肯定的であった放送番組の提示態様とが、第１態様差を有する番組案内表を作成し、
前記第２判定の結果が否定的であった放送番組が存在する場合には、前記第２判定の結果が否定的であった放送番組の放送時間帯の提示態様と、前記第２判定の結果が肯定的であった放送番組の放送時間帯の提示態様とが、第２態様差を有する番組案内表を作成する、
ことを特徴とする放送番組案内装置。
【請求項４】
前記作成手段は、前記第１判定の結果が肯定的であった放送番組のそれぞれについて、前記第１地域において放送番組を提供する放送事業者の相違を識別できる態様で、前記番組案内表を作成する、ことを特徴とする請求項１〜３のいずれか一項に記載の放送番組案内装置。
【請求項５】
前記作成手段は、前記第１番組案内情報又は前記第２番組案内情報において採用されている放送事業者の並び順に従って、前記番組案内表を作成する、ことを特徴とする請求項１〜４のいずれか一項に記載の放送番組案内装置。
【請求項６】
前記第１地域は、利用者の生活根拠地が含まれる地域である、ことを特徴とする請求項１〜５のいずれか一項に記載の放送番組案内装置。
【請求項７】
第１地域において提供される放送番組に関する第１番組案内情報、及び、前記第１地域とは異なる第２地域において提供される放送番組に関する第２番組案内情報を取得する取得手段と；前記第１番組案内情報と前記第２番組案内情報とを比較する比較手段と；前記比較手段による比較結果から抽出された前記第１番組案内情報と前記第２番組案内情報と同一点及び相違点に基づいて、前記第２地域で利用される番組案内表を作成する作成手段と；を備える放送番組案内装置において使用される放送番組案内方法であって、
前記取得手段が、前記第１番組案内情報及び前記第２番組案内情報を取得する取得工程と；
前記比較手段が、前記第１番組案内情報と前記第２番組案内情報とを比較する比較工程と；
前記作成手段が、前記比較工程における比較結果から抽出された前記第１番組案内情報と前記第２番組案内情報との同一点及び相違点に基づいて、前記第２地域で利用される番組案内表を作成する作成工程と；を備え、
前記比較工程では、前記比較手段が、
前記第２番組案内情報に含まれる放送番組のそれぞれについて、同一の番組名の放送番組が前記第１番組案内情報に存在するかを判定する第１判定と；
前記第１判定の結果が肯定的であった放送番組のそれぞれについて、前記第１番組案内情報におけるサブタイトルと、前記第２番組案内情報におけるサブタイトルとが同一であるかを判定する第２判定と；を行い、
前記作成工程では、前記作成手段が、
前記第１判定の結果が否定的であった放送番組が存在する場合には、前記第１判定の結果が否定的であった放送番組の提示態様と、前記第１判定の結果が肯定的であった放送番組の提示態様とが、第１態様差を有する番組案内表を作成し；
前記第２判定の結果が否定的であった放送番組が存在する場合には、前記第２判定の結果が否定的であった放送番組のサブタイトルの提示態様と、前記第２判定の結果が肯定的であった放送番組のサブタイトルの提示態様とが、第２態様差を有する番組案内表を作成する、
ことを特徴とする放送番組案内方法。
【請求項８】
第１地域において提供される放送番組に関する第１番組案内情報、及び、前記第１地域とは異なる第２地域において提供される放送番組に関する第２番組案内情報を取得する取得手段と；前記第１番組案内情報と前記第２番組案内情報とを比較する比較手段と；前記比較手段による比較結果から抽出された前記第１番組案内情報と前記第２番組案内情報と同一点及び相違点に基づいて、前記第２地域で利用される番組案内表を作成する作成手段と；を備える放送番組案内装置において使用される放送番組案内方法であって、
前記取得手段が、前記第１番組案内情報及び前記第２番組案内情報を取得する取得工程と；
前記比較手段が、前記第１番組案内情報と前記第２番組案内情報とを比較する比較工程と；
前記作成手段が、前記比較工程における比較結果から抽出された前記第１番組案内情報と前記第２番組案内情報との同一点及び相違点に基づいて、前記第２地域で利用される番組案内表を作成する作成工程と；を備え、
前記比較工程では、前記比較手段が、
前記第２番組案内情報に含まれる放送番組のそれぞれについて、同一の番組名の放送番組が前記第１番組案内情報に存在するかを判定する第１判定と；
前記第１判定の結果が肯定的であった放送番組のそれぞれについて、前記第１番組案内情報における放送時間帯と、前記第２番組案内情報における放送時間帯と同一であるかを判定する第２判定と；を行い、
前記作成工程では、前記作成手段が、
前記第１判定の結果が否定的であった放送番組が存在する場合には、前記第１判定の結果が否定的であった放送番組の提示態様と、前記第１判定の結果が肯定的であった放送番組の提示態様とが、第１態様差を有する番組案内表を作成し、
前記第２判定の結果が否定的であった放送番組が存在する場合には、前記第２判定の結果が否定的であった放送番組の放送時間帯の提示態様と、前記第２判定の結果が肯定的であった放送番組の放送時間帯の提示態様とが、第２態様差を有する番組案内表を作成する、
ことを特徴とする放送番組案内方法。
【請求項９】
請求項７に記載の放送番組案内方法を、放送番組案内装置が有するコンピュータに実行させる、ことを特徴とする放送番組案内プログラム。
【請求項１０】
請求項８に記載の放送番組案内方法を、放送番組案内装置が有するコンピュータに実行させる、ことを特徴とする放送番組案内プログラム。
【請求項１１】
請求項９に記載の放送番組案内プログラムが、放送番組案内装置が有するコンピュータにより読み取り可能に記録されている、ことを特徴とする記録媒体。
【請求項１２】
請求項１０に記載の放送番組案内プログラムが、放送番組案内装置が有するコンピュータにより読み取り可能に記録されている、ことを特徴とする記録媒体。
【発明の詳細な説明】
【技術分野】
【０００１】
本発明は、放送番組案内装置、放送番組案内方法、放送番組案内プログラム、及び、当該放送番組案内プログラムが記録された記録媒体に関する。
【背景技術】
【０００２】
従来から、車両等の移動体の多くに地上デジタル放送を受信して再生する受信装置が搭載されている。この地上デジタル放送では、放送波に、放送局が送出する放送番組に関する情報が多重化されている。そして、受信装置側で当該情報に基づき番組案内表を作成し、番組選択の手段として、利用者に当該番組案内表を提示することができるようになっている。
【０００３】
ところで、受信装置を搭載する移動体は、放送地域をまたがって移動する場合がある。こうした状況に対応して、移動しながら地上デジタル放送を受信する場合に放送地域が変化したとしても、適切な番組案内表を利用者に提供する技術がある（特許文献１参照：以下、「従来例」と呼ぶ）。
【０００４】
この従来例の技術では、デジタル放送信号に多重化されている第１の番組案内情報を取得するとともに、ネットワークを通じてデジタル放送の第２の番組案内情報を取得する。そして、第１及び第２の番組案内情報を合成し、合成された番組案内情報を利用者に提供するようになっている。
【０００５】
かかる合成に際して、従来例では、例えば、現在の放送地域（従来例においては「放送エリア」）Ａから他の放送地域Ｂへ移動する際に、経路上の到達予定時刻の情報を取得し、当該情報が示す経路上にある放送地域を判別する。そして、第１及び第２の番組案内情報に基づいて、各時刻において視聴可能なデジタル放送の番組案内情報を作成するようになっている。
【先行技術文献】
【特許文献】
【０００６】
【特許文献１】特開２００５−２９４９６２号公報
【発明の概要】
【発明が解決しようとする課題】
【０００７】
上述した従来例の技術では、各時刻において視聴可能なデジタル放送の番組案内情報を作成する。しかしながら、放送地域Ａにおいて慣れ親しんだ放送局名、放送番組の内容や放送時間帯と、移動先の放送地域Ｂにおける放送局名、放送番組の内容や放送時間帯との違い（例えば、ドラマの放送時間帯、回数等）を、利用者が明確に把握することができるものとはなっていない。この結果、放送地域をまたがって移動して地上デジタル放送を視聴するとき、移動前の放送地域における放送番組の内容や放送時間帯と、移動後の放送地域における放送番組の内容や放送時間帯との違いに、利用者が戸惑うことある。
【０００８】
このため、移動前後における放送地域の違いによる放送番組の内容や放送時間帯の違いを、明示した番組案内表を用意することのできる技術が待望されている。かかる要請に応えることが、本発明が解決すべき課題の一つとして挙げられる。
【０００９】
本発明は、上記の事情を鑑みてなされたものであり、放送番組の選択を行う場合において、利用者の利便性に配慮した番組案内表を提供することができる新たな放送番組案内装置及び放送番組案内方法を提供することを目的とする。
【課題を解決するための手段】
【００１０】
請求項１に記載の発明は、第１地域において提供される放送番組に関する第１番組案内情報、及び、前記第１地域とは異なる第２地域において提供される放送番組に関する第２番組案内情報を取得する取得手段と；前記第１番組案内情報と前記第２番組案内情報とを比較する比較手段と；前記比較手段による比較結果から抽出された前記第１番組案内情報と前記第２番組案内情報と同一点及び相違点に基づいて、前記第２地域で利用される番組案内表を作成する作成手段と；を備え、前記比較手段は、前記第２番組案内情報に含まれる放送番組のそれぞれについて、同一の番組名の放送番組が前記第１番組案内情報に存在するかを判定する第１判定と；前記第１判定の結果が肯定的であった放送番組のそれぞれについて、前記第１番組案内情報におけるサブタイトルと、前記第２番組案内情報におけるサブタイトルとが同一であるかを判定する第２判定と；を行い、前記作成手段は、前記第１判定の結果が否定的であった放送番組が存在する場合には、前記第１判定の結果が否定的であった放送番組の提示態様と、前記第１判定の結果が肯定的であった放送番組の提示態様とが、第１態様差を有する番組案内表を作成し；前記第２判定の結果が否定的であった放送番組が存在する場合には、前記第２判定の結果が否定的であった放送番組のサブタイトルの提示態様と、前記第２判定の結果が肯定的であった放送番組のサブタイトルの提示態様とが、第２態様差を有する番組案内表を作成する、ことを特徴とする放送番組案内装置である。
請求項３に記載の発明は、第１地域において提供される放送番組に関する第１番組案内情報、及び、前記第１地域とは異なる第２地域において提供される放送番組に関する第２番組案内情報を取得する取得手段と；前記第１番組案内情報と前記第２番組案内情報とを比較する比較手段と；前記比較手段による比較結果から抽出された前記第１番組案内情報と前記第２番組案内情報と同一点及び相違点に基づいて、前記第２地域で利用される番組案内表を作成する作成手段と；を備え、前記比較手段は、前記第２番組案内情報に含まれる放送番組のそれぞれについて、同一の番組名の放送番組が前記第１番組案内情報に存在するかを判定する第１判定と；前記第１判定の結果が肯定的であった放送番組のそれぞれについて、前記第１番組案内情報における放送時間帯と、前記第２番組案内情報における放送時間帯と同一であるかを判定する第２判定と；を行い、前記作成手段は、前記第１判定の結果が否定的であった放送番組が存在する場合には、前記第１判定の結果が否定的であった放送番組の提示態様と、前記第１判定の結果が肯定的であった放送番組の提示態様とが、第１態様差を有する番組案内表を作成し、前記第２判定の結果が否定的であった放送番組が存在する場合には、前記第２判定の結果が否定的であった放送番組の放送時間帯の提示態様と、前記第２判定の結果が肯定的であった放送番組の放送時間帯の提示態様とが、第２態様差を有する番組案内表を作成する、ことを特徴とする放送番組案内装置である。
【００１１】
請求項７に記載の発明は、第１地域において提供される放送番組に関する第１番組案内情報、及び、前記第１地域とは異なる第２地域において提供される放送番組に関する第２番組案内情報を取得する取得手段と；前記第１番組案内情報と前記第２番組案内情報とを比較する比較手段と；前記比較手段による比較結果から抽出された前記第１番組案内情報と前記第２番組案内情報と同一点及び相違点に基づいて、前記第２地域で利用される番組案内表を作成する作成手段と；を備える放送番組案内装置において使用される放送番組案内方法であって、前記取得手段が、前記第１番組案内情報及び前記第２番組案内情報を取得する取得工程と；前記比較手段が、前記第１番組案内情報と前記第２番組案内情報とを比較する比較工程と；前記作成手段が、前記比較工程における比較結果から抽出された前記第１番組案内情報と前記第２番組案内情報との同一点及び相違点に基づいて、前記第２地域で利用される番組案内表を作成する作成工程と；を備え、前記比較工程では、前記比較手段が、前記第２番組案内情報に含まれる放送番組のそれぞれについて、同一の番組名の放送番組が前記第１番組案内情報に存在するかを判定する第１判定と；前記第１判定の結果が肯定的であった放送番組のそれぞれについて、前記第１番組案内情報におけるサブタイトルと、前記第２番組案内情報におけるサブタイトルとが同一であるかを判定する第２判定と；を行い、前記作成工程では、前記作成手段が、前記第１判定の結果が否定的であった放送番組が存在する場合には、前記第１判定の結果が否定的であった放送番組の提示態様と、前記第１判定の結果が肯定的であった放送番組の提示態様とが、第１態様差を有する番組案内表を作成し；前記第２判定の結果が否定的であった放送番組が存在する場合には、前記第２判定の結果が否定的であった放送番組のサブタイトルの提示態様と、前記第２判定の結果が肯定的であった放送番組のサブタイトルの提示態様とが、第２態様差を有する番組案内表を作成する、ことを特徴とする放送番組案内方法である。
請求項８に記載の発明は、第１地域において提供される放送番組に関する第１番組案内情報、及び、前記第１地域とは異なる第２地域において提供される放送番組に関する第２番組案内情報を取得する取得手段と；前記第１番組案内情報と前記第２番組案内情報とを比較する比較手段と；前記比較手段による比較結果から抽出された前記第１番組案内情報と前記第２番組案内情報と同一点及び相違点に基づいて、前記第２地域で利用される番組案内表を作成する作成手段と；を備える放送番組案内装置において使用される放送番組案内方法であって、前記取得手段が、前記第１番組案内情報及び前記第２番組案内情報を取得する取得工程と；前記比較手段が、前記第１番組案内情報と前記第２番組案内情報とを比較する比較工程と；前記作成手段が、前記比較工程における比較結果から抽出された前記第１番組案内情報と前記第２番組案内情報との同一点及び相違点に基づいて、前記第２地域で利用される番組案内表を作成する作成工程と；を備え、前記比較工程では、前記比較手段が、前記第２番組案内情報に含まれる放送番組のそれぞれについて、同一の番組名の放送番組が前記第１番組案内情報に存在するかを判定する第１判定と；前記第１判定の結果が肯定的であった放送番組のそれぞれについて、前記第１番組案内情報における放送時間帯と、前記第２番組案内情報における放送時間帯と同一であるかを判定する第２判定と；を行い、前記作成工程では、前記作成手段が、前記第１判定の結果が否定的であった放送番組が存在する場合には、前記第１判定の結果が否定的であった放送番組の提示態様と、前記第１判定の結果が肯定的であった放送番組の提示態様とが、第１態様差を有する番組案内表を作成し、前記第２判定の結果が否定的であった放送番組が存在する場合には、前記第２判定の結果が否定的であった放送番組の放送時間帯の提示態様と、前記第２判定の結果が肯定的であった放送番組の放送時間帯の提示態様とが、第２態様差を有する番組案内表を作成する、ことを特徴とする放送番組案内方法である。
【００１２】
請求項９に記載の発明は、請求項７に記載の放送番組案内方法を、放送番組案内装置が有するコンピュータに実行させる、ことを特徴とする放送番組案内プログラムである。
請求項１０に記載の発明は、請求項８に記載の放送番組案内方法を、放送番組案内装置が有するコンピュータに実行させる、ことを特徴とする放送番組案内プログラムである。
【００１３】
請求項１１に記載の発明は、請求項９に記載の放送番組案内プログラムが、放送番組案内装置が有するコンピュータにより読み取り可能に記録されている、ことを特徴とする記録媒体である。
請求項１２に記載の発明は、請求項１０に記載の放送番組案内プログラムが、放送番組案内装置が有するコンピュータにより読み取り可能に記録されている、ことを特徴とする記録媒体である。
【図面の簡単な説明】
【００１４】
【図１】本発明の一実施形態に係る受信装置の構成を概略的に示すブロック図である。
【図２】図１の再生処理ユニットの構成を示すブロック図である。
【図３】図１の制御ユニットの構成を示すブロック図である。
【図４】図１の装置による番組案内表の作成処理を説明するためのフローチャートである。
【図５】第１及び第２地域において提供される放送番組の例を示す図である。
【図６】図５の放送番組の例に基づいて作成された第２地域で利用される番組案内表の例を示す図である。
【図７】番組案内表の一例を示す図である。
【図８】第２地域で利用される番組案内表の変形例を示す図である。
【発明を実施するための形態】
【００１５】
以下、本発明の一実施形態を、図１〜図７を参照して説明する。なお、本実施形態においては、ＭＰＥＧ方式によるコード化が行われた後にＯＦＤＭ（Orthogonal Frequency Division Multiplex）変調が施された地上デジタル放送波を受信して処理する、車両に搭載された受信装置を例示して説明する。また、以下の説明及び図面においては、同一又は同等の要素には同一の符号を付し、重複する説明を省略する。
【００１６】
［構成］
図１には、一実施形態に係る放送番組案内装置としての機能を有する受信装置１００の概略的な構成がブロック図にて示されている。
【００１７】
図１に示されるように、受信装置１００は、アンテナ１１０と、ＲＦ処理ユニット１２０と、再生処理ユニット１３０とを備えている。また、受信装置１００は、操作入力ユニット１４０と、音出力ユニット１５０と、表示ユニット１６０とを備えている。さらに、受信装置１００は、制御ユニット１８０を備えている。
【００１８】
上記のアンテナ１１０は、放送波を受信する。そして、アンテナ１１０による受信結果は、受信信号ＲＦＳとして、ＲＦ処理ユニット１２０へ送られる。
【００１９】
上記のＲＦ処理ユニット１２０は、制御ユニット１８０からの選局指令ＣＳＬ及び再生処理ユニット１３０からの自動利得制御信号ＡＧＣに従って、選択すべき物理チャンネルの信号を受信信号ＲＦＳから抽出する選局処理を行う。この選局処理の結果は、信号ＩＦＳとして再生処理ユニット１３０へ送られる。
【００２０】
上記の再生処理ユニット１３０は、制御ユニット１８０による制御のもとで、ＲＦ処理ユニット１２０から送られる信号ＩＦＳを処理して、音出力ユニット１５０へ供給するための音声データＡＤＴ及び制御ユニット１８０へ供給するための映像データＩＤＴを生成する。再生処理ユニット１３０の詳細な構成については、後述する。
【００２１】
上記の操作入力ユニット１４０は、受信装置１００の本体部に設けられたキー部、及び／又はキー部を備えるリモート入力装置等により構成される。ここで、本体部に設けられたキー部としては、表示ユニット１６０に設けられたタッチパネルを用いることができる。また、キー部を有する構成に代えて、又は併用して音声認識技術を利用して音声にて入力する構成を採用することもできる。
【００２２】
この操作入力ユニット１４０を利用者が操作することにより、受信装置１００の動作内容の設定が行われる。例えば、番組案内表の表示指定、後述する第１地域の指定、放送事業者を指定した選局指定等を、利用者が操作入力ユニット１４０を操作することによって行われる。こうして操作入力された内容は、操作入力データＩＰＤとして、操作入力ユニット１４０から制御ユニット１８０へ向けて送られる。
【００２３】
上記の音出力ユニット１５０は、（ｉ）再生処理ユニット１３０から受信した音声データＡＤＴをアナログ信号に変換するＤＡ（Digital to Analogue）変換器と、（ii）当該ＤＡ変換器から出力されたアナログ信号を増幅する増幅器と、（iii）増幅されたアナログ信号を音声に変換するスピーカとを備えて構成されている。この音出力ユニット１５０は、選局されているチャンネルの放送波に対応する放送音声を再生出力する。
【００２４】
上記の表示ユニット１６０は、例えば、（ｉ）液晶パネル、有機ＥＬ（Electro Luminescence）パネル、ＰＤＰ（Plasma Display Panel）等の表示デバイスと、（ii）制御ユニット１８０から送られた出力画像データＩＭＴに基づいて、当該表示デバイスに画像を表示させる表示制御回路とを備えている。この表示ユニット１６０は、選局されているチャンネルに対応する放送画像を再生表示する。また、表示ユニット１６０は、番組案内表の表示指定が行われたときには、番組案内表（ＰＧＴ）を表示する。
【００２５】
上記の制御ユニット１８０は、様々な処理を行うとともに、受信装置１００の全体の動作を制御する。制御ユニット１８０の詳細な構成については、後述する。
【００２６】
次に、上述した再生処理ユニット１３０の構成について説明する。再生処理ユニット１３０は、図２に示されるように、ＯＦＤＭ復調部１３１と、デマルチプレックス部１３２と、音声処理部１３３と、映像処理部１３４とを備えている。
【００２７】
上記のＯＦＤＭ復調部１３１は、ＲＦ処理ユニット１２０の利得の自動制御を行うとともに、ＲＦ処理ユニット１２０から送られる信号ＩＦＳ に基づいて、ＯＦＤＭ復調処理を行う。
【００２８】
上記のデマルチプレックス部１３２は、ＯＦＤＭ復調部１３１から送られるコンテンツ復調信号ＤＭＤを受ける。そして、デマルチプレックス部１３２は、コンテンツ復調信号ＤＭＤのデコードを行い、音声に関するデコード結果を、復号音声データＤＡＤとして、音声処理部１３３へ送る。また、デマルチプレックス部１３２は、映像に関するデコード結果を、復号映像データＤＩＤとして、映像処理部１３４へ送る。
【００２９】
また、デマルチプレックス部１３２は、ＯＦＤＭ復調結果におけるデータ放送に関する情報を信号ＤＢＤとして制御ユニット１８０へ送る。かかる信号ＤＢＤに含まれる情報としては、ＰＳＩ（Program Specific Information）及び共通運用ＳＩ（Service Information）（以下、「ＰＳＩ／ＳＩ」と呼ぶ）に含まれるＮＩＴ（Network Information Table）情報、ＥＩＴ（Event Information Table）情報等がある。ここで、ＮＩＴ情報には、地域識別情報、放送事業者等が記載されており、ＥＩＴ情報には、放送番組の番組名、放送日時、番組内容などの番組に関する情報が記載されている。
【００３０】
上記の音声処理部１３３は、復号音声データＤＡＤに基づいて音声データＡＤＴを生成する。生成された音声データＡＤＴは、音出力ユニット１５０へ送られる。
【００３１】
上記の映像処理部１３４は、復号映像データＤＩＤに基づいて映像データＩＤＴを生成する。生成された映像データＩＤＴは、制御ユニット１８０へ送られる。
【００３２】
次に、上述した制御ユニット１８０の構成について説明する。制御ユニット１８０は、図３に示されるように、記憶部１８１と、取得手段としての番組案内情報取得部１８２と、比較手段及び作成手段としての番組案内表作成部１８３とを備えている。また、制御ユニット１８０は、出力画像切替部１８４と、処理制御部１８５とを備えている。
【００３３】
上記の記憶部１８１には、様々な情報データが記憶される。記憶部１８１に記憶される情報データとしては、第１番組案内情報ＰＧＩ１、第２番組案内情報ＰＧＩ２、チャンネルリスト情報ＣＨＬ等がある。この記憶部１８１には、番組案内情報取得部１８２、番組案内表作成部１８３及び処理制御部１８５がアクセス可能となっている。
【００３４】
上記の第１番組案内情報ＰＧＩ１には、第１地域において提供される放送番組の番組名、サブタイトル、詳細案内、放送時間帯等の放送番組に関する情報が記憶される。本実施形態では、第１地域は、受信装置１００の利用者の生活根拠地が含まれる放送地域となっている。
【００３５】
上記の第２番組案内情報ＰＧＩ２には、第２地域において提供される放送番組の番組名、サブタイトル、詳細案内、放送時間帯等の放送番組に関する情報が記憶される。本実施形態では、第２地域は、第１地域とは異なる車両の現在位置が含まれる放送地域となっている。
【００３６】
なお、第１番組案内情報ＰＧＩ１及び第２番組案内情報ＰＧＩ２は、番組案内情報取得部１８２により取得、更新されるようになっている。
【００３７】
上記のチャンネルリスト情報ＣＨＬには、全地域にわたっての放送地域ごとに、当該放送地域において放送番組を提供する放送事業者及び当該放送事業者の物理チャンネルのリストが登録されている。このチャンネルリスト情報ＣＨＬは、処理制御部１８５により参照される。
【００３８】
上記の番組案内情報取得部１８２は、処理制御部１８５による制御のもとで、第１番組案内情報ＰＧＩ１及び第２番組案内情報ＰＧＩ２を取得し、記憶部１８１内に記憶させる。そして、第１番組案内情報ＰＧＩ１又は第２番組案内情報ＰＧＩ２の記憶部１８１内への格納が終了すると、その旨を処理制御部１８５へ報告するようになっている。
【００３９】
ここで、番組案内情報取得部１８２は、処理制御部１８５から第１番組案内情報ＰＧＩ１の取得指令を受けた場合に、第１番組案内情報ＰＧＩ１を取得し、記憶部１８１内に記憶させる。また、番組案内情報取得部１８２は、処理制御部１８５から第２番組案内情報ＰＧＩ２の取得指令を受けた場合に、第２番組案内情報ＰＧＩ２を取得し、記憶部１８１内に記憶させる。
【００４０】
かかる第１番組案内情報ＰＧＩ１及び第２番組案内情報ＰＧＩ２の取得に際しては、番組案内情報取得部１８２は、再生処理ユニット１３０から送られる信号ＤＢＤに含まれるＮＩＴ情報におけるネットワーク識別子から地域識別情報を抽出する。そして、番組案内情報取得部１８２は、信号ＤＢＤに含まれるＥＩＴ情報に基づいて、第１番組案内情報ＰＧＩ１を取得し、記憶部１８１内に記憶させる。
【００４１】
なお、番組案内情報取得部１８２は、後述する番組案内情報の取得期間において、番組案内情報を取得するようになっている。
【００４２】
上記の番組案内表作成部１８３は、処理制御部１８５から送られた作成指令ＰＧＣを受けると、番組案内表の作成処理を行う。かかる番組案内表（ＰＧＴ）の作成処理に際して、番組案内表作成部１８３は、記憶部１８１にアクセスし、第１番組案内情報ＰＧＩ１及び第２番組案内情報ＰＧＩ２を参照する。そして、番組案内表作成部１８３は、第１番組案内情報ＰＧＩ１と第２番組案内情報ＰＧＩ２とを比較し、第１番組案内情報ＰＧＩ１を考慮した第２地域で利用される番組案内表（ＰＧＴ）を作成する。作成された番組案内表データＤＣＤは、出力画像切替部１８４へ送られる。当該番組案内表（ＰＧＴ）の作成処理の詳細については、後述する。
【００４３】
上記の出力画像切替部１８４は、再生処理ユニット１３０から送られた映像データＩＤＴを受ける。また、出力画像切替部１８４は、番組案内表（ＰＧＴ）が作成されたときには、番組案内表作成部１８３から送られた番組案内表データＤＣＤを受ける。そして、出力画像切替部１８４は、処理制御部１８５から送られた切替指令ＳＥＣに従って、通常、映像データＩＤＴを、出力映像データＩＭＴとして表示ユニット１６０へ送る。一方、出力画像切替部１８４は、切替指令ＳＥＣにより番組案内表を表示すべきことが指定された場合には、番組案内表データＤＣＤを、出力映像データＩＭＴとして表示ユニット１６０へ送る。
【００４４】
上記の処理制御部１８５は、再生処理ユニット１３０から送られる信号ＤＢＤを受ける。そして、処理制御部１８５は、信号ＤＢＤに含まれるＮＩＴ情報におけるネットワーク識別子から地域識別情報を抽出し、車両の現在位置が含まれる放送地域を特定する。こうして、現在位置を含む放送地域が特定されると、処理制御部１８５は、記憶部１８１にアクセスし、チャンネルリスト情報ＣＨＬの内から、特定された現在位置を含む放送地域のチャンネルリストを抽出する。
【００４５】
また、処理制御部１８５は、操作入力ユニット１４０から送られた利用者による選局指定を受けると、特定された放送地域におけるチャンネルリストを参照し、選局指定により指定された放送事業者の物理チャンネルに対応する信号を抽出するための選局指令ＣＳＬを生成する。そして、処理制御部１８５は、生成された選局指令ＣＳＬを、ＲＦ処理ユニット１２０へ送る。
【００４６】
また、処理制御部１８５は、番組案内情報取得部１８２に対して、番組案内情報を取得するための制御を行う。ここで、処理制御部１８５は、車両が第１地域に存在する場合には、第１番組案内情報ＰＧＩ１が記憶部１８１内に記憶されていないとき、又は、第１番組案内情報ＰＧＩ１が記憶部１８１内に記憶されているが、前回の第１番組案内情報ＰＧＩ１の取得から所定時間が経過したとき等に、第１番組案内情報ＰＧＩ１の取得指令を番組案内情報取得部１８２へ送る。また、車両が第１地域に存在しない場合には、処理制御部１８５は、地域識別情報から車両が新たな地域に移動したとされたとき等に、第２番組案内情報ＰＧＩ２の取得指令を番組案内情報取得部１８２へ送る。
【００４７】
そして、処理制御部１８５は、番組案内情報の取得期間において、番組案内情報を取得するためのチャンネル切替処理の制御を行う。かかるチャンネル切替処理に際して、処理制御部１８５は、特定された放送地域におけるチャンネルリストを参照し、順次、放送事業者の物理チャンネルに対応する信号を抽出するための選局指令ＣＳＬを生成し、ＲＦ処理ユニット１２０へ送る。
【００４８】
こうして処理制御部１８５がチャンネル切替処理を制御することにより、上述した番組案内情報取得部１８２が、各放送事業者の番組案内情報を取得することができる。
【００４９】
また、処理制御部１８５は、番組案内表を作成すべき旨の作成指令ＰＧＣを生成して番組案内表作成部１８３へ送る。また、処理制御部１８５は、操作入力ユニット１４０から送られた利用者による番組案内表の表示指定を受けると、番組案内表データＤＣＤを、出力映像データＩＭＴとして表示ユニット１６０へ送るべき旨の選択指令ＳＥＣを生成する。そして、処理制御部１８５は、生成された選択指令ＳＥＣを、出力画像切替部１８４へ送る。
【００５０】
［動作］
以上のようにして構成された受信装置１００の動作について、番組案内表の作成処理に主に着目して説明する。
【００５１】
前提として、受信装置１００が搭載された車両は、第１地域を走行した後、現時点においては、第２地域を走行しているものとする。そして、受信装置１００の番組案内情報取得部１８２は、第１地域の走行時に第１番組案内情報ＰＧＩ１を取得し、記憶部１８１内に記憶させているものとする。また、番組案内情報取得部１８２は、第２地域の走行時に第２番組案内情報ＰＧＩ２を取得し、記憶部１８１内に記憶させているものとする。
【００５２】
このような状況のもとで、制御ユニット１８０の処理制御部１８５が、作成指令ＰＧＣを番組案内表作成部１８３へ送ることにより、第１番組案内情報ＰＧＩ１を考慮した第２地域で利用される番組案内表（ＰＧＴ）の作成処理が開始される。
【００５３】
なお、本実施形態では、当該作成指令ＰＧＣは、受信装置１００が搭載された車両が、第１地域から第２地域へ移動した場合や、当該第２地域から他の第２地域へ移動した場合において、移動した第２地域の第２番組案内情報ＰＧＩ２の取得後に、処理制御部１８５により生成されるようになっている。
【００５４】
この番組案内表（ＰＧＴ）の作成処理では、まず、図４のステップＳ１１において、番組案内表作成部１８３が、第２番組案内情報ＰＧＩ２に含まれる放送番組の中から１つの放送番組を選択する。引き続き、ステップＳ１２において、番組案内表作成部１８３が、選択された第２地域において提供される放送番組と、同一の番組名の放送番組が、第１番組案内情報ＰＧＩ１に存在するか否かを判定する（第１判定）。
【００５５】
この判定の結果が否定的であった場合（ステップＳ１２：Ｎ）には、処理はステップＳ１３へ進む。ステップＳ１３では、番組案内表作成部１８３が、第１判定の結果が否定的であった第２地域において提供される放送番組の提示態様を、第１判定の結果が肯定的であった放送番組の提示態様とは異なる第１態様差を有する番組案内表を作成するための第１提示指定を行う。この後、処理は後述するステップＳ２０へ進む。一方、ステップＳ１２における判定の結果が肯定的であった場合（ステップＳ１２：Ｙ）には、処理はステップＳ１４へ進む。
【００５６】
ステップＳ１４では、番組案内表作成部１８３が、選択された第２地域において提供される放送番組のサブタイトルと、第１番組案内情報ＰＧＩ１における同一の番組名の放送番組のサブタイトルとが同一であるか否かを判定する（第２判定）。この判定の結果が否定的であった場合（ステップＳ１４：Ｎ）には、処理はステップＳ１５へ進む。ステップＳ１５では、番組案内表作成部１８３が、第２判定の結果が否定的であった第２地域において提供される放送番組のサブタイトルの提示態様を、第２判定の結果が肯定的であった放送番組のサブタイトルの提示態様とは異なる第２態様差を有する番組案内表を作成するための第２提示指定を行う。この後、処理はステップＳ１６へ進む。一方、ステップＳ１４における判定の結果が肯定的であった場合（ステップＳ１４：Ｙ）にも、処理はステップＳ１６へ進む。
【００５７】
ステップＳ１６では、番組案内表作成部１８３が、選択された第２地域において提供される放送番組の詳細内容と、第１番組案内情報ＰＧＩ１における同一の番組名の放送番組の詳細内容とが同一であるか否かを判定する（第３判定）。この判定の結果が否定的であった場合（ステップＳ１６：Ｎ）には、処理はステップＳ１７へ進む。ステップＳ１７では、番組案内表作成部１８３が、第３判定の結果が否定的であった第２地域において提供される放送番組の詳細内容の提示態様を、第３判定の結果が肯定的であった放送番組の詳細内容の提示態様とは異なる第３態様差を有する番組案内表を作成するための第３提示指定を行う。この後、処理はステップＳ１８へ進む。一方、ステップＳ１６における判定の結果が肯定的であった場合（ステップＳ１６：Ｙ）にも、処理はステップＳ１８へ進む。
【００５８】
ステップＳ１８では、番組案内表作成部１８３が、選択された第２地域において提供される放送番組の放送時間帯と、第１番組案内情報ＰＧＩ１における同一の番組名の放送番組の放送時間帯とが同一であるか否かを判定する（第４判定）。この判定の結果が否定的であった場合（ステップＳ１８：Ｎ）には、処理はステップＳ１９へ進む。ステップＳ１９では、番組案内表作成部１８３が、第４判定の結果が否定的であった第２地域において提供される放送番組の放送時間帯の提示態様を、第４判定の結果が肯定的であった放送番組の放送時間帯の提示態様とは異なる第４態様差を有する番組案内表を作成するための第４提示指定を行う。ここで、本実施形態では、第４態様差は、放送時間帯の前後を区別した態様差となっている。この後、処理はステップＳ２０へ進む。一方、ステップＳ１８における判定の結果が肯定的であった場合（ステップＳ１８：Ｙ）にも、処理はステップＳ２０へ進む。
【００５９】
ステップＳ２０では、番組案内表作成部１８３が、第２番組案内情報ＰＧＩ２に含まれるすべての放送番組について、上述したステップＳ１２〜Ｓ１９の処理を実行したか否かを判定する。この判定の結果が否定的であった場合（ステップＳ２０：Ｎ）には、処理はステップＳ２１へ進む。
【００６０】
ステップＳ２１では、第２番組案内情報ＰＧＩ２に含まれる放送番組の中から、上述したステップＳ１２〜Ｓ１９の処理を実行していない放送番組を選択する。この後、処理はステップＳ１２へ戻る。以後、ステップＳ２０における判定の結果が肯定的となるまで、ステップＳ１２〜Ｓ２１の処理が繰り返される。
【００６１】
一方、ステップＳ２０における判定の結果が肯定的となると（ステップＳ２０：Ｙ）、処理はステップＳ２２へ進む。ステップＳ２２では、番組案内表作成部１８３が、上述した第１〜第４判定の結果に基づいて、第１番組案内情報ＰＧＩ１を考慮した第２地域で利用される番組案内表（ＰＧＴ）を作成する。
【００６２】
＜番組案内表の作成例＞
図５（Ａ）には、第１地域において提供される放送番組の例が示され、図５（Ｂ）には、第２地域において提供される放送番組の例が示されている。ここで、第１地域において放送番組を提供する放送事業者（以下、「放送局」とも記す）としては、「○テレビ」、「●放送」、「△放送」、「テレビ□」が存在し、第２地域において放送番組を提供する放送事業者としては、「◎◎テレビ」、「▽▽放送」、「テレビ◇◇」が存在しているものとする。そして、「◎◎テレビ」は「○テレビ」及び「●放送」の系列局であり、「▽▽放送」は「△放送」の系列局であり、「テレビ◇◇」は「テレビ□」の系列局であるものとする。また、例えば「○テレビ」により放送される番組においての、「ドラマＡ」、「アニメＡ」、「映画Ａ」は番組名であり、「♯４」はサブタイトルであり、「事件」は詳細内容であるものとする。
【００６３】
以下、図５（Ａ），（Ｂ）を参照して、番組案内表（ＰＧＴ）の作成例について説明する。
【００６４】
かかる番組案内表（ＰＧＴ）の作成に際しては、番組案内表作成部１８３は、図５（Ｂ）に含まれるすべての放送番組について、上述した判定処理を行う。
【００６５】
まず、◎◎テレビにおいて放送される「ドラマＡ」及び「アニメＡ」、▽▽放送において放送される「アニメＣ」及び「バラエティＣ」、並びに、テレビ◇◇において放送される「ドラマＤ」については、上述したステップＳ１１〜Ｓ２１の処理を実行することで、番組案内表作成部１８３により、第１〜第４判定の結果がすべて肯定的であると判定される。また、◎◎テレビにおいて放送される「ドラマＢ」については、番組案内表作成部１８３により、第１及び第４判定の結果が肯定的であると判定され、第２及び第３判定の結果が否定的であると判定される。この結果、放送番組「ドラマＢ」については、サブタイトルの提示態様が、第２判定の結果が肯定的であった放送番組（例えば、「ドラマＡ」）のサブタイトルの提示態様とは異なる第２態様差を有した番組案内表が作成されるとともに、詳細内容の提示態様が、第３判定の結果が肯定的であった放送番組の詳細内容の提示態様とは異なる第３態様差を有した番組案内表が作成される。ここで、本実施形態では、第２及び第３態様差は、文字サイズ及び書体の変更となっている。
【００６６】
また、テレビ◇◇において放送される「情報番組Ｄ」については、番組案内表作成部１８３により、第１、第２及び第４判定の結果が肯定的であると判定され、第３判定の結果が否定的であると判定される。この結果、放送番組「情報番組Ｄ」については、詳細内容の提示態様が、第３判定の結果が肯定的であった放送番組の詳細内容の提示態様とは異なる第３態様差を有した番組案内表が作成される。
【００６７】
また、▽▽放送において放送される「ドラマＣ」及び「サッカー試合」については、番組案内表作成部１８３により、第１〜第３判定の結果が肯定的であると判定され、第４判定の結果が否定的であると判定される。この結果、放送番組「ドラマＣ」、「サッカー試合」については、第４判定の結果が肯定的であった放送番組とは異なる第４態様差を有した番組案内表が作成される。ここで、第４態様差は、番組案内表の枠形式の変更であり、放送時間帯の前後を区別した態様差となっている。
【００６８】
また、◎◎テレビにおいて放送される「地方へ行こう」、及び、テレビ◇◇において放送される「グルメ特集」については、番組案内表作成部１８３により、第１判定の結果が否定的であると判定される。この結果、放送番組「地方へ行こう」、「グルメ特集」については、第１判定の結果が肯定的であった放送番組とは異なる第１態様差を有した番組案内表が作成される。ここで、第１態様差は、番組案内表の背景色の変更となっている。
【００６９】
図５（Ｂ）に示した第２地域において提供される放送番組のそれぞれについて第１〜第４判定が行われると、番組案内表作成部１８３により、番組案内表が作成される。こうして作成された番組案内表（ＰＧＴ）の例が、図６に示されている。この図６に示されるように、本実施形態では、第２地域において放送番組を提供する放送局の並び順に従って、番組案内表が作成されている。そして、第２地域において放送番組を提供する放送局の下に、系列局の第１地域において放送番組を提供する放送局が記されている。また、第１判定の結果が肯定的であった第２地域において提供される放送番組のそれぞれについては、第１地域において放送番組を提供する放送局の相違を識別できる態様（背景色）で、番組案内表が作成されている。
【００７０】
ここで、本実施形態では、第１態様差は、番組案内表の背景色の変更、第２及び第３態様差は、文字書体の変更となっている。また、第４態様差は、番組案内表の枠形式の変更となっている。
【００７１】
こうして作成された番組案内表は、番組案内表データＤＣＤとして出力画像切替部１８４へ送られる。そして、利用者により、番組案内表の表示指定が行われると、出力画像切替部１８４が、番組案内表データＤＣＤを、出力映像データＩＭＴとして表示ユニット１６０へ送る。この結果、番組案内表が、表示ユニット１６０に表示される。
【００７２】
なお、図５（Ａ）が第２地域において提供される放送番組の例、図５（Ｂ）が第１地域において提供される放送番組の例であるとすれば、第１地域において提供される放送番組を考慮した第２地域で利用される番組案内表は、図７に示されるようになる。
【００７３】
以上説明したように、本実施形態では、まず、番組案内情報取得部１８２が、第１地域において提供される放送番組に関する第１番組案内情報、及び、第１地域とは異なる第２地域において提供される放送番組に関する第２番組案内情報を取得する。そして、番組案内表作成部１８３が、第２番組案内情報に含まれる放送番組のそれぞれについて、同一の番組名の放送番組が第１番組案内情報に存在するか否かを判定する第１判定を行う。引き続き、番組案内表作成部１８３は、第１判定の結果が肯定的であった放送番組のそれぞれについて、第１番組案内情報におけるサブタイトルと第２番組案内情報におけるサブタイトルとが同一であるか否かを判定する第２判定、第１番組案内情報における詳細内容と第２番組案内情報における詳細内容とが同一であるか否かを判定する第３判定、及び、第１番組案内情報における放送時間帯と第２番組案内情報における放送時間帯とが同一であるか否かを判定する第４判定を行う。そして、番組案内表作成部１８３は、第１〜第４判定の結果に基づいて、第１番組案内情報を考慮した第２地域で利用される番組案内表を作成する。
【００７４】
したがって、本実施形態によれば、放送番組の選択を行う場合において、利用者の利便性に配慮した番組案内表を提供することができる。
【００７５】
［実施形態の変形］
本発明は、上記の実施形態に限定されるものではなく、様々な変形が可能である。
【００７６】
例えば、上記の実施形態では、第２地域において放送番組を提供する放送局の並び順に従って番組案内表を作成したが、図８に示されるように、第１地域において放送番組を提供する放送局の並び順に番組案内表を作成するようにしてもよい。
【００７７】
また、上記の実施形態では、第１及び第２番組案内情報を放送波から抽出して取得するようにしたが、各放送地域の番組案内情報を保持するサーバ装置とネットワークを介して通信を行い、番組案内情報を取得するようにしてもよい。また、番組案内情報が記憶されたＣＤ−ＲＯＭ、ＤＶＤ等の可搬型記録媒体から、番組案内情報を取得するようにしてもよい。
【００７８】
また、上記の実施形態では、番組案内表作成部１８３が、第２番組案内情報に含まれる放送番組のそれぞれについて、同一の番組名の放送番組が第１番組案内情報に存在するか否かを判定する第１判定を行い、当該判定の結果が肯定的であった場合に、第２〜第４判定を行うようにした。これに対して、番組案内表作成部１８３は、第１判定の結果が肯定的である場合に、他の判定処理を行わないようにしてもよい、第２〜第４判定のうちから、任意の判定処理を選択して行うようにしてもよい。
【００７９】
また、上記の実施形態では、第１判定を行うに際して、番組案内表作成部１８３が、第２番組案内情報ＰＧＩ２に含まれる放送番組の中から１つの放送番組を選択し、当該選択された放送番組と、同一の番組名の放送番組が、第１番組案内情報ＰＧＩ１に存在するか否かを判定することにより行った。これに対して、番組案内表作成部１８３は、第１番組案内情報ＰＧＩ１に含まれる放送番組の中から１つの放送番組を選択し、当該選択された放送番組と、同一の番組名の放送番組が、第２番組案内情報ＰＧＩ２に存在するか否かを判定することにより第１判定を行うようにしてもよい。
【００８０】
また、第１判定を行うに際して、予め、ＢＩＴ（Broadcast Information Table）情報における放送局系列識別子（affiliation_ID）を抽出しておき、選択された放送番組に関する放送局系列識別子と同一の識別子を有する他の放送地域の放送局の放送番組を比較対象とするようにしてもよい。
【００８１】
また、上記の実施形態では、放送地域を特定するに際して、放送波に含まれるネットワーク識別子の地域識別情報を利用したが、受信装置が、位置検出手段を備え、位置検出手段による検出結果に基づいて、放送地域を特定するようにしてもよい。
【００８２】
また、上記の実施形態では、第１態様差を番組案内表の背景色の変更、第２及び第３態様差を文字書体の変更、第４態様差を番組案内表の枠形式の変更としたが、利用者にとって分かりやすい態様差であれば、文字色分け、文字点滅、背景色点滅等の態様差であってもよいことは勿論である。また、第１地域と第２地域とで放送番組に差がない場合（図４におけるステップＳ１８の判定結果が肯定的であった場合）は、その旨を表示するようにしてもよい。
【００８３】
また、上記実施形態では、第１地域の指定を可能とするようにしたが、第２地域の指定を更に可能とし、指定された第２地域の番組案内情報を第２番組案内情報として取得するようにしてもよい。
【００８４】
また、上記の実施形態の受信装置は、アンテナとＲＦ処理ユニットとの組を１組備えることとしたが、アンテナとＲＦ処理ユニットとの組は２組以上であってもよい。このような構成を採用する場合は、番組案内情報の取得期間においては、１組を番組案内情報の受信用とし、他の組を利用者が視聴するための放送の受信用とすることができる。また、１個のアンテナと、２個のＲＦ処理ユニットとを備える受信装置であってもよい。
【００８５】
また、上記の実施形態においては、車両に搭載される受信装置に本発明を適用したが、車両以外の移動体に搭載される受信装置にも本発明を適用してもよい。
【００８６】
また、家庭内に配置される受信装置に本発明を適用してもよいし、また、パーソナルコンピュータ等の装置に本発明を適用してもよい。そして、家庭内に配置される受信装置に本発明を適用する場合には、第１番組案内情報を放送波から抽出して取得するとともに、第２地域を指定して第２番組案内情報をインターネットにより取得すればよい。また、パーソナルコンピュータに本発明を適用する場合には、第１及び第２地域を指定して、第１及ぶ第２番組案内情報をインターネットにより取得すればよい。
【００８７】
なお、上記の実施形態における制御ユニット１８０の一部又は全部を中央処理装置（ＣＰＵ：Central Processing Unit）、読出専用メモリ（ＲＯＭ：Read Only Memory）、ランダムアクセスメモリ（ＲＡＭ：Random Access Memory）等を備えた演算手段としてのコンピュータとして構成し、予め用意されたプログラムを当該コンピュータで実行することにより、上記の実施形態における処理の一部又は全部を実行するようにしてもよい。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【００８８】
１００  …  受信装置（放送番組案内装置）
１８２  …  番組案内情報取得部（取得手段）
１８３  …  番組案内表作成部（比較手段、作成手段）
【図１】
0005611003.tif 000002
【図２】
0005611003.tif 000003
【図３】
0005611003.tif 000004
【図４】
0005611003.tif 000005
【図５】
0005611003.tif 000006
【図６】
0005611003.tif 000007
【図７】
0005611003.tif 000008
【図８】
0005611003.tif 000009